(57)【要約】【課題】  法面防護用ボックスの滑り移動等を防止し安定せしめて施工性、法面の保護性能、信頼性を高めている。【解決手段】枠1付き金網2で形成された六方形状の法止めボックス3として、その後面下縁部に沿って螺旋状線材7により枠付き金網製の安定盤6を上下回動Ｙ可能に付設した法面保護用ボックス10に構成している。また、その法面保護用ボックスの上面と下面の中央部付近に立ち上り段部8a、9bを設けた保護用かごマット10a、10b及び法面保護用ボックスの前面を斜面9に形成した法面保護用かごマット10c、10dに構成している。【選択図】図１
2005188187.tif 000002
【特許請求の範囲】
【請求項１】
枠付き金網によって形成された直六方形状の法止めボックスに多数の小石等を充填して枠付き金網製の上蓋部を連結して被覆した法止めボックスにおいて、該法止めボックスの後方下側の前幅に沿わせて上下回動可能に連結した枠付き金網製の安定盤を付設したことを特徴とする法面防護用ボックス。
【請求項２】
請求項１記載の法面防護用ボックスにおいて、前記の法止めボックスの下面及び上面の中央部付近に立ち上り段部を設けて法面保護用かごマットの後部に対し前部に段差を設けたことを特徴とする法面防護用ボックス。
【請求項３】
請求項１又は請求項2記載の法面保護用ボックスにおいて、前記の法面保護用かごマットの前面を斜面に形成したことを特徴とする法面保護用ボックス。
【請求項４】
枠付き金網によって形成された六方形状の法止めボックスに多数の小石等を充填して枠付き金網製の上蓋部を被覆した法止めボックスにおいて、該法止めボックスの後面下縁部の前幅にわたり連設した枠付き金網製の安定盤を回動させて法止めボックスの後側へ延長状に配置して法面の地中深く埋設し、法止めボックスを法面近くにセットするとともに、法止めボックスの上側と下側の中央部付近に設けた立ち上り段部を相互に接合させて積層せしめ、セットされた各法止めボックスを安定盤の埋設及び立ち上り段部の相互接合によって移動を防止してセット位置に安定せしめることを特徴とする法面保護工法。
【請求項５】
請求項4記載の法面保護工法において、前記の法止めボックスの前面に形成した斜面を複層段に積層して、法面に対応させて各法止めボックスの前面を一連の傾斜面に整列せしめることを特徴とする法面保護工法。
【発明の詳細な説明】
【技術分野】
【０００１】
本発明は、山や谷、臨海部、道路、状宅地、川岸等の傾斜地、即ちそれらの法面の保護、緑化等をするために設置される法面保護用ボックス及びその法面防護工法に関するものである。
【背景技術】
【０００２】
枠付き金網によって形成された直六方形状の法止めボックスに多数の小石を充填して、その上側に枠付き金網製の上蓋部を被覆した法面防護用ボックスを法面にセットし、さらにその法面防護用ボックスを複数段に積層して法面近くに敷き詰め、法面を効果的に防護するとともにその緑化にも好適に適用されているが、地中に埋設した抵抗部材に凍結した2本の線材を法面防護用ボックスに連結して、法面の凍結等に伴って生じる法面防護用ボックスの滑り移動を防止して法面防護用ボックスの破損を防止する機構になっている。
【０００３】
法面防護工法に関する前記の背景技術は、地中に埋設した抵抗部材に連結した2本の線材を介して法面防護用ボックスを局部的に支持して、その抵抗部材の抵抗によって法面防護用ボックスの滑り移動を防止して安定せしめる機構になっているため、抵抗部材の地中埋設や2本の線材の連結等に面倒な手数を要し、それらのセットにもバラツキが生じ易く、法面防護用ボックスが2本の線材により部分的に破損され易くその滑り移動の防止力としては効果的に機能されないなどの課題があった。
【０００４】
【特許文献１】特開平１０−２５７４０号公報
【発明の開示】
【発明が解決しようとする課題】
【０００５】
本発明は、前記の法面防護用かごマット及び法面防護工法における前記のような課題を解決するために開発されたものであり、目的とする処は、法面防護用ボックスの損傷、滑り移動を効果的に防止して安定せしめるなど総合的に施工性、法面の防護性能、信頼性を向上した法面保護用ボックス及び法面防護工法を提供するにある。    
【課題を解決するための手段】
【０００６】
本発明の請求項1は、枠付き金網によって形成された直六方形状の法止めボックスに多数の小石等を充填して枠付き金網製の上蓋部を連結して被覆した法止めボックスにおいて、法止めボックスの後方下側の前幅に沿わせて上下回動可能に連結した枠付き金網製の安定盤を付設した法面保護用ボックスに特徴を有する。
【０００７】
本発明の請求項2は、  前記の法面保護用ボックスにおいて、前記の法止めボックスの下面及び上面の中央部付近に立ち上り段部を設けて、法面保護用ボックスの後部に対し前部に段差を設けて形成した法面保護用ボックスに特徴を有する。
【０００８】
本発明の請求項3は、前記の法面保護用ボックスにおいて、法止めボックスの前面を斜面に形成した法面保護用ボックスに特徴を有する。
【０００９】
本発明の請求項4は、枠付き金網によって形成された直六方形状の法止めボックスに多数の小石等を充填して枠付き金網製の上蓋部を被覆した法止めボックスにおいて、該法止めボックスの後面下縁部の前幅にわたり連設した枠付き金網製の安定盤を回動させて、法止めボックスの後側へ延長状に配置して法面の地中深く埋設し、法止めボックスを法面近くにセットするとともに、法止めボックスの上側と下側の中央部付近に設けた立ち上り段部を相互に接合させて積層せしめ、セットされた法止めボックスを安定盤の埋設及び立ち上り段部の相互接合によって滑り移動及び相互移動を防止してセット位置に安定せしめる法面保護工法に特徴を有する。
【００１０】
前記の法面保護工法において、前記の法止めボックスの前面を斜面に形成して、法止めボックスを複層段に積層して、各法止めボックスの前面を一連の傾斜面に整列せしめる法面保護工法に特徴を有する。
【発明の効果】
【００１１】
本発明の請求項1は、前記のような構成からなり、枠付き金網によって形成された六方形状の法止めボックスに多数の小石等を充填して、枠付き金網製の上蓋部を連結して被覆した法止めボックスにおいて、その法止めボックスの後方下側の全幅に沿わせて連結された枠付き金網製の安定盤を回動して後方延長状として法面の地中深く埋設すると、その安定盤の枠付き金網が地中で効果的に強い抵抗力を発揮して、法止めボックスの後側下方の前幅にわたりその抵抗力が均等に伝わって法止めボックスが格別に損傷されないでその滑り移動が効果的に防止され、法止めボックスが法面近くのセット位置に精度良くセットされて安定されるなど施工性、法面の保護性能、信頼性が著しく向上されている。
【００１２】
本発明の求項2は、前記のような構成からなり、法止めボックスの下面及び上面の中央部付近に設けた立ち上り段部が相互に接合されて積層され、各層の各法止めボックスがその立ち上り段部の相互接合により、積層された各法止めボックスの前後相対移動が効果的に阻止されて、前記の安定盤による滑り防止機能とあいまつて滑り移動さらには相対移動が効果的に防止されて、法止めボックスが法面近くのセット位置に精度良く安定されるなどさらに優れた施工性、法面の保護性能、信頼性が著しく向上されている。
【００１３】
本発明の請求項3は、前記のような構成からなり、前記の法面保護用ボックスにおいて、その各法面保護用ボックスの前面に設けた斜面が法面近くに沿わされて積層され、各法面保護用ボックスの前面が法面の傾斜に対応されて一連の傾斜面として容易に整列され、前記のような優れた移動防止機能とあいまって法面近くのセット位置に精度良く安定されるなど優れた施工性、法面の保護性能、信頼性が得られる。
【００１４】
本発明の請求項4は、前記のような構成からなり、前記のように枠付き金網製の上蓋部を被覆した法止めボックスとし、この法止めボックスの後側下縁部の前幅にわたり連結された枠付き金網製の安定盤を回動させて法面保護用ボックスの後側へ回動して延長状とし法面の地中深く埋設され、その法面保護用ボックスが法面近くに容易に所要の位置に精度良くセットされ、その安定盤により効果的に法面保護用ボックスに対し強力な抵抗力を発揮し、この抵抗力が法面保護用ボックスの後側の前幅にわたり均等に伝わりその局部的な損傷が防止され効果的に優れた滑り移動防止機能が発揮される。法面保護用ボックスの上面と下面に設けた立ち上り段部の相互接合により積層された各法面保護用ボックスの相対移動が阻止されて、積層された各法面保護用ボックスがセット位置で安定されるなど施工性、法面の保護性能、信頼性が著しく高められている。
【００１５】
本発明の請求項5は、前記の法面保護工法において、前記の法止めボックスの前面を斜面に形成した法止めボックスによって、この法止めボックスを複層段にして積層すると、各法止めボックスの前面を法面に対応させて一連の傾斜面に整列せしめて施工でき、前記の安定盤及び立ち上り段部の相互接合による法止めボックスの移動防止機能により各法止めボックスのセット位置が安定されて施工性、信頼性が高められている。
【発明を実施するための最良の形態】
【００１６】
本発明の各実施例は、図1に示すように枠付き金網によって形成された直六方状形状の法止めボックスに多数の小石等を充填して枠付き金網製の上蓋部を連結して被覆した法止めボックスにおいて、その法止めボックスの後方下縁側の前幅にわたり連結された枠付き金網製を付設した法面保護用ボックス（基本例）、前記の法面保護用ボックスにおいて、その法止めボックスの下面及び上面の中央部付近に立ち上り段部を付設した構成（実施例2）、前記の法止めボックスの前面を斜面に形成した構成（実施例3）、さらには、前記の基本例及び前記の各構成に基づく法面保護工法に特徴を有する。
【実施例】
【００１７】
本発明の基本例は、  図1に示すように枠1付き金網2によって形成された直六方形状の法止めボックス3に多数の小石Ｒ等を充填して枠1付き金網2製の上蓋部5を連結し被覆した法止めボックス3、5とし、該法止めボックス3、5の後面3bの下縁部に沿わせて螺旋状線材7により枠1付き金網2製の安定盤6を上下回動Y可能に付設した法面保護用ボックス10に構成される。なお、前記の枠1は、適宜の線材や帯材等によって構成され、この枠1の全域にわたり鉄線製の金網2を張り巡らせた構造になっている。また、安定盤6は、必要に応じ螺旋状線材7によりその2個を折り畳み可能に連続させて連設することもできる。
【００１８】
前記の法面保護用ボックス10及びこれに基づく法面保護工法（実施例1）について詳述すると、その法面保護用ボックス10は、図1に示すように形成された法止めボックス3に適宜の大きさの玉石や礫R等を充填し、必要に応じその前部側等に植物育成用の腐葉土等も混入し充填して、法面保護用ボックス3の全周に沿わせて上蓋部5を点線のように枠1を取り付けて螺旋状線材7により連結し被覆して法止めボックス3,5として構成され、さらにその法止め3,5の後面3の下縁部の全域に沿わせて枠1付き金網2製の安定盤6を枠1とともに螺旋状線材7により連結して上下回動Y可能に付設させて構成された法面保護用ボックス10として構成される。図3Aに示すように吊持部材20により容易に搬送されて法面Sの所要位置にセットされる。そのセットに際し、法面部分か適宜に掘削され、安定盤6を下方へ適宜に回動Yさせて法止めボックス3、5の後方へ延長状（多少の傾斜角度を付けることも可能）にして安定盤6が法面Sの地中深く配置されて埋設される。法止めボックスのセットを繰り返して上側に積層される。図示のように数個の法止めボックス3、5のセットを繰り返して上側へ複数段に積層する。図示のように数個の法止めボックス3、5を積層する場合は、その前面を同一面の位置にして積層可能であるが、法止めボックス3、5のセット位置を少しずらしてそれらの前面を段階的にセットすることも可能である（図示省略）。
【００１９】
前記の法面保護用ボックス10は、前記のように従来例に比べ容易に搬送され、安定盤6を回動Yする程度で極めて容易に法面Sの所要の定位置に精度良くセットされて積層されてセットされるとともに、その後側の下縁部の全幅に沿って連設された安定盤7が地中深く埋設されて、その枠1付き金網2によって滑り移動に対する強力な抵抗力を発揮し、その抵抗力が法面保護用ボックス10の後面下縁部の全幅にわたり均等に波及されて、法止めボックス3、,5の局部的な損傷が防止されてその滑り移動が効果的に防止される。即ち各法面保護用ボックス10がセット位置に安定されるなど施工性、法面の保護性能、信頼性が効果的に著しく高められている。
【００２０】
本発明の実施例2は、  図2A及び図2 Bに示すように前記の法面保護用ボックス10に比べその下面3cの中央部付近に立ち上り段部8bを設け、さらには図2Bに点線で示すようにその上面3dの中央部付近にも立ち上り段部8aを設けた構成に特徴を有し、その他の構成は法面保護用かごマット10と同様に構成された法面保護用ボックス10a、10bの構造になっている。
【００２１】
前記の法面保護用ボックス10a、10b及びこれに基づく法面保護工法（実施例2）について詳述すると、前記の法面保護用ボックス10に比べ、図4Aに示すように前記の法面保護用ボックス10bにおいてその下面3cと上面3dの中央部付近に設けた立ち上り段部8b、8aを相互に当接させて法面保護用ボックス10bを積層させて施工するとともに、最上部に同様にして法面保護用ボックス10aを積層させて施工される。前記のように立ち上り段部8a、8bを相互に当接させると、その各法面保護用ボックスの前後方向の相対移動が効果的に防止され、安定盤6による前記の滑り防止機能とあいまって各段に法面保護用ボックスがセット位置に安定される。
【００２２】
本発明の実施例3は、  前記の法止めボックス10aに比べその法止めボックス3aを法面Ｓに対応させて斜面9に形成した構成した構成に特長を有する。その他の構成については同様に構成されている。点線で示すように法止めボックス10bの前面においても前記のように斜面9に形成した法面保護用ボックス10dの構成にすることができる（図示省略）。なお、法面保護用ボックス10bや10dの枠1付き金網2製の上蓋部5は、法面保護用ボックス10bや10dの上部形状に対応させて変形されて、立ち上り段部8aが形成される形状に変形されている。
【００２３】
前記の法面保護用かごマット10c、10d及びこれに基づく法面保護工法（実施例3）について詳述すると、前記の保護用かごマットに比べ、図4Bに示すように前記の法面保護用ボックス10c、10dを同様にして積層すると、各法面保護用ボックス10c、10dの前面の斜面9が法面Sに対応されて一連の傾斜θにセットされて綺麗に整列することができる。前記の安定盤7による滑り防止機能及び立ち上り段部8a、8bを相互当接による相対移動の防止機能とあいまって各積層の法面保護用ボックスが精度良く整列されて安定され優れた法面保護機能が得られる。
【産業上の利用可能性】
【００２４】
本発明は、山や谷、臨海部、道路脇、状宅地の近く、川岸等の傾斜地即ち法面が好適に防護されるとともに、緑化用等にも好適に適用される。
【図面の簡単な説明】
【００２５】
【図１】本発明の法面保護用ボックスの基本的な実施例1を示す斜視図
【図２】本発明の法面保護用ボックスの実施例2を示す斜視図（Ａ）とその実施例3を示す斜視図（Ｂ）及びその実施例3を示す斜視図（Ｃ）
【図３】本発明に基づく法面保護工法の基本例を示す断面図
【図４】本発明に基づく法面保護工法の他例を示す断面図（Ａ）とさらにその他例を示す斜視図（Ｂ）である。
【符号の説明】
【００２６】
1      枠
2                    
金網
3ー3、5  法止めボックス
６                 
安定盤
７                 
螺旋状線材    
8a、9b立ち上がり段部
９      斜面
10、10ａ、10b、10c、10d  法面保護用ボックス
S      法面
【図１】
2005188187.tif 000003
【図２】
2005188187.tif 000004
【図３】
2005188187.tif 000005
【図４】
2005188187.tif 000006